(57)【要約】【課題】樹脂材料を含むアース用取付け部材にノイズフィルタを確実に取り付ける。【解決手段】ノイズフィルタモジュール１０は、コンデンサ１５（フィルタ素子）とアース用端子２０を有するノイズフィルタ１１と、樹脂材料を含むボディ４３（アース用取付け部材）の表面に面当たり状態で固着されるとともに、アース用導体４２に導通可能に接続される金属製の固定部材３０と、固定部材３０にねじ込まれ、固定部材３０とアース用端子２０とを接続状態に保持するボルト３６（締結部材）とを備えている。【選択図】図２
2017152768.tif 000002
【特許請求の範囲】
【請求項１】
フィルタ素子とアース用端子を有するノイズフィルタと、
樹脂材料を含むアース用取付け部材の表面に面当たり状態で固着されるとともに、アース用導体に導通可能に接続される金属製の固定部材と、
前記固定部材にねじ込まれ、前記固定部材と前記アース用端子を接続状態に保持する締結部材とを備えていることを特徴とするノイズフィルタモジュール。
【請求項２】
前記締結部材が、前記アース用取付け部材と非接触の状態で前記固定部材にねじ込まれていることを特徴とする請求項１記載のノイズフィルタモジュール。
【請求項３】
前記固定部材に形成された回り止め部と、
前記アース用端子に形成され、前記回り止め部に対し周方向に当接可能な当接部とを備えていることを特徴とする請求項１又は請求項２記載のノイズフィルタモジュール。
【請求項４】
前記固定部材には、前記締結部材がねじ込まれていない状態において、前記アース用端子を前記固定部材に対して離脱規制状態に保持可能な仮保持部が形成されていることを特徴とする請求項１ないし請求項３のいずれか１項に記載のノイズフィルタモジュール。
【請求項５】
樹脂材料を含むアース用取付け部材と、
前記アース用取付け部材の表面に面当たり状態で固着された金属製の固定部材と、
前記固定部材に導通可能に接続されたアース用導体と、
フィルタ素子とアース用端子を有するノイズフィルタと、
前記固定部材にねじ込まれ、前記固定部材と前記アース用端子を接続状態に保持する締結部材とを備えていることを特徴とするノイズフィルタのアース構造。
【発明の詳細な説明】
【技術分野】
【０００１】
本発明は、ノイズフィルタモジュール及びノイズフィルタのアース構造に関するものである。
【背景技術】
【０００２】
従来、自動車等においてはノイズ除去のためにコンデンサ、コイル等のフィルタ素子を内蔵したノイズフィルタが知られている。かかるノイズフィルタの一例として、下記特許文献１を挙げることができる。ここに開示されたノイズフィルタにはフィルタ素子に接続されるアース用端子も組込まれており、アース用端子はさらに金属製の車両フレームに接続されることでアースがとられている。
【０００３】
ところで、最近になって軽量化の要請から金属製のボディに代わってＣＦＲＰ（炭素繊維強化樹脂）製のフレームが開発されつつある。しかし、ＣＦＲＰは一般に電気絶縁性であるため、これ自体をアースポイントとすることはできない。そこで、ＣＦＲＰ製のフレームにアース用導体を取り付け、このアース用導体をアースポイントとして設定することが考えられる。
【先行技術文献】
【特許文献】
【０００４】
【特許文献１】特開２０１２−３９２０１号公報
【発明の概要】
【発明が解決しようとする課題】
【０００５】
ＣＦＲＰ製のフレームに取り付けるアース用導体を編組線や電線等の可撓性部材にした場合、配索自由度等の点で好ましい。しかし、可撓性部材からなるアース用導体は、ボルト締めによってノイズフィルタのアース用端子に接続することはできないため、ＣＦＲＰ製のフレームにボルトをねじ込むことになる。ところが、ＣＦＲＰは金属に比べて弾性変形し易い材料であるため、ボルトのねじ込み部分に外力が作用するとＣＦＲＰが変形する虞があり、充分な保持性能を期待することができない。
【０００６】
本発明は上記のような事情に基づいて完成されたものであって、樹脂を含むアース用取付け部材にノイズフィルタを確実に取り付けることを目的とする。
【課題を解決するための手段】
【０００７】
第１の発明は、
フィルタ素子とアース用端子を有するノイズフィルタと、
樹脂材料を含むアース用取付け部材の表面に面当たり状態で固着されるとともに、アース用導体に導通可能に接続される金属製の固定部材と、
前記固定部材にねじ込まれ、前記固定部材と前記アース用端子を接続状態に保持する締結部材とを備えているところに特徴を有する。
【０００８】
第２の発明は、
樹脂材料を含むアース用取付け部材と、
前記アース用取付け部材の表面に面当たり状態で固着された金属製の固定部材と、
前記固定部材に導通可能に接続されたアース用導体と、
フィルタ素子とアース用端子を有するノイズフィルタと、
前記固定部材にねじ込まれ、前記固定部材と前記アース用端子を接続状態に保持する締結部材とを備えているところに特徴を有する。
【発明の効果】
【０００９】
ノイズフィルタは、締結部材により固定部材を介してアース用取付け部材に取り付けられ、アース用端子は固定部材を介してアース用導体にアースされる。締結部材のねじ込み対象は、樹脂材料を含むアース用取付け部材ではなく、金属製の固定部材であるから、ノイズフィルタをアース用取付け部材に確実に取り付けることができる。
【図面の簡単な説明】
【００１０】
【図１】実施例１のノイズフィルタの平断面図
【図２】アース用端子を固定部材に仮保持した状態をあらわす平面図
【図３】図２のＸ−Ｘ線断面図
【図４】図２のＹ−Ｙ線断面図
【図５】固定部材の平面図
【発明を実施するための形態】
【００１１】
第１及び第２の発明は、前記締結部材が、前記アース用取付け部材と非接触の状態で前記固定部材にねじ込まれていてもよい。この構成によれば、締結部材とアース用取付け部材が接触しないので、締結部材のねじ込みに起因してアース用取付け部材が変形する虞はない。
【００１２】
第１及び第２の発明は、前記固定部材に形成された回り止め部と、前記アース用端子に形成され、前記回り止め部に対し周方向に当接可能な当接部とを備えていてもよい。この構成によれば、締結部材をねじ込む過程では、当接部が回り止め部に当接することにより、アース用端子の連れ回りを防止できる。
【００１３】
第１及び第２の発明は、前記固定部材には、前記締結部材がねじ込まれていない状態において、前記アース用端子を前記固定部材に対して離脱規制状態に保持可能な仮保持部が形成されていてもよい。この構成によれば、締結部材を固定部材にねじ込む前に、アース用端子を固定部材から離脱しないように保持しておくことができるので、作業性がよい。
【００１４】
＜実施例１＞
以下、本発明を具体化した実施例１を図１〜図５を参照して説明する。本実施例のノイズフィルタモジュール１０は、ノイズフィルタ１１と、固定部材３０と、ボルト３６（請求項に記載の締結部材）とを備えて構成されている。ノイズフィルタ１１は、固定部材３０とボルト３６によって自動車のボディ４３（請求項に記載のアース用取付け部材）に取り付けられ、自動車に搭載した電装機器等（図示省略）で発生したノイズを除去する。ボディ４３のうちノイズフィルタ１１の取付け対象となる部分は、合成樹脂材料を含むＣＦＲＰ（炭素繊維強化樹脂）によって構成され、水平なパネル状をなしている。
【００１５】
尚、以下の説明において、前後の方向については、図１〜３における左方を前方と定義する。上下の方向については、図３，４にあらわれる向きを、そのまま上方、下方と定義する。左右の方向については、図１における上方を、右方と定義する。
【００１６】
本実施例のノイズフィルタ１１は、コネクタとして構成され、合成樹脂製のハウジング１２と、コンデンサ１５（請求項に記載のフィルタ素子）と、雄端子金具１７と、アース用端子２０を備えている。ハウジング１２の内部には、コンデンサ１５を収容するコンデンサ１５収容室１３と、雄端子金具１７の先端のタブ１８を収容する端子収容室１４とが形成されている。
【００１７】
端子収容室１４内には、電線４１を介して電装機器に接続された雌端子金具４０が挿入されている。雌端子金具４０は、ランス１９により抜止めされた状態で雄端子金具１７のタブ１８に接続されている。コンデンサ１５は、一対のリード１６Ａ，１６Ｂを有し、フィルタ素子として機能する。一方のリード１６Ａはハウジング１２の内部でアース用端子２０に接続され、他方のリード１６Ｂはハウジング１２の内部で雄端子金具１７に接続されている。
【００１８】
アース用端子２０は、金属材料からなり、ハウジング１２に固定して取り付けられている。アース用端子２０の後端部は、ハウジング１２の内部に収容され、一方のリード１６Ａに接続されている。アース用端子２０の大部分は、全体として水平な板状をなすアース機能部２１となっており、ハウジング１２の前方外部へ露出している。
【００１９】
アース機能部２１には、板厚方向（上下方向）に貫通した円形の嵌合孔２２が形成されている。嵌合孔２２は、固定部材３０の筒状嵌合部３３に外嵌される。アース機能部２１には、嵌合孔２２の孔縁部を略方形に凹ませた形態の一対の切欠部２３が形成されている。一対の切欠部２３は、嵌合孔２２の中心（図示省略）に関して点対称な位置に配されている。
【００２０】
アース機能部２１の上面には、嵌合孔２２の孔縁部を扇形（円弧形）に高くした形態の一対の受圧部２４が形成されている。一対の受圧部２４は、嵌合孔２２の中心に関して点対称な形状であり、嵌合孔２２の中心に関して点対称な位置に配されている。周方向における受圧部２４の形成範囲は、９０°よりも少し小さい範囲とされている。平面視において、受圧部２４は、切欠部２３に対し時計回り方向側に隣接するように配されている。各受圧部２４の周方向における両端部のうち、平面視において時計回り方向前方側の端部は、当接部２５として機能する。
【００２１】
固定部材３０は、台座部３１と、筒状嵌合部３３と、一対の突起部３４と、雌ネジ孔３５とを備えた金属製の単一部材である。台座部３１は、平面視形状が円形をなしており、台座部３１の下面は、接着や溶着等の手段により、ボディ４３の上面に対し面当たり状態で固着されている。筒状嵌合部３３の平面視形状は、台座部３１と同心の円形をなす。筒状嵌合部３３の外径は、台座部３１よりも小さく、アース用端子２０の嵌合孔２２の内径と同じか、それよりも僅かに小さい寸法である。台座部３１と筒状嵌合部３３の外径の寸法差により、台座部３１の上面のうち筒状嵌合部３３よりも外周側の領域は、アース用端子２０のアース機能部２１を載置するための載置面３２となっている。
【００２２】
筒状嵌合部３３の上端部外周には、筒状嵌合部３３の上下方向の軸心に関して点対称な一対の突起部３４（請求項に記載の回り止め部及び仮保持部）が形成されている。突起部３４の平面視形状は略方形である。突起部３４の周方向の寸法は、切欠部２３の周方向の寸法と同じかそれよりも僅かに小さい寸法である。突起部３４の径方向の寸法は、切欠部２３の径方向の寸法と同じかそれよりも僅かに小さい寸法である。載置面３２と突起部３４の下面との間の上下間隔は、アース機能部２１の厚さ寸法と同じか、それよりも僅かに大きい寸法である。
【００２３】
筒状嵌合部３３の内部には、筒状嵌合部３３と同心の雌ネジ孔３５が形成されている。雌ネジ孔３５は筒状嵌合部３３の上端面に開口している。この雌ネジ孔３５には、ボルト３６の雄ネジ部３７がねじ込まれるようになっている。ここで、載置面３２を基準とする筒状嵌合部３３の高さ寸法Ｈａは、アース機能部２１の下面から受圧部２４の上面までの寸法Ｈｂと同じか、それよりも少し小さい寸法に設定されている。したがって、アース機能部２１を載置面３２に載置した状態でボルト３６を雌ネジ孔３５にねじ込むと、ボルト３６の頭部３８の座面３９（下面）は、筒状嵌合部３３の上端面とは接触せず、受圧面の上面に当接するようになっている。
【００２４】
本実施例のノイズフィルタモジュール１０をボディ４３に取り付ける際には、まず、固定部材３０をボディ４３の上面に固着する。これにより、ボディ４３のうち台座部３１と接触する比較的広い領域が、固定部材３０と一体化される。本実施例では、便宜上、一対の突起部３４が筒状嵌合部３３から前後方向へ突出する向きで固定部材３０を固着することとする。固定部材３０をボディ４３の固着した後は、台座部３１の外周に、金属製の編組線を細長く成形したものや、被覆電線等からなるアース用導体４２を固着する。ＣＦＲＰ製のボディ４３は導電性を有しないため、アースをとるための専用手段として、ボディ４３とは別にアース用導体４２を設ける。アース用導体４２は可撓性を有するので、配索経路の自由度の点で利点がある。
【００２５】
固定部材３０とアース用導体４２をボディ４３に取り付けた後、固定部材３０にノイズフィルタ１１を組み付ける。固定部材３０にノイズフィルタ１１を組み付ける際には、固定部材３０の上方からアース機能部２１を接近させ、一対の切欠部２３を一対の突起部３４に整合させた状態で嵌合孔２２を筒状嵌合部３３に外嵌する。そして、アース機能部２１を載置面３２に載置し、ノイズフィルタ１１を平面視において時計回り方向へ約９０°旋回させ、受圧部２４の当接部２５を突起部３４に当接させる。
【００２６】
ノイズフィルタ１１を旋回させると、アース機能部２１の嵌合孔２２の孔縁部のうち切欠部２３が形成されていない領域が、台座部３１の上面（載置面３２）と突起部３４の下面との間に挟まれるので、アース機能部２１（ノイズフィルタ１１）は、固定部材３０に対して上下方向への相対変位を規制される。この規制により、ノイズフィルタ１１は、固定部材３０に対し離脱を規制された状態に仮保持される。
【００２７】
この後、ボルト３６の雄ネジ部３７を固定部材３０の雌ネジ孔３５にねじ込む。すると、ボルト３６の座面３９が、時計回り方向へ回転しながら受圧面の上面に接触するため、ノイズフィルタ１１はボルト３６から時計回り方向の回転力を受ける。しかし、ノイズフィルタ１１の当接部２５が、固定部材３０の突起部３４に対して時計回り方向に突き当ることにより、ノイズフィルタ１１の連れ回りが防止されている。
【００２８】
ボルト３６を締め込むと、受圧部２４を含むアース機能部２１が、載置面３２とボルト３６の座面３９と間で上下に挟み付けられるので、ノイズフィルタ１１のアース用端子２０が固定部材３０を介してボディ４３に固定される。また、アース用端子２０が固定部材３０を介してアース用導体４２に接続される。
【００２９】
本実施例のノイズフィルタモジュール１０は、ノイズフィルタ１１と固定部材３０とボルト３６とを備えてする。ノイズフィルタ１１は、コンデンサ１５とアース用端子２０を有する。固定部材３０は、金属製であり、樹脂材料を含むボディ４３の表面に面当たり状態で固着されるとともに、アース用導体４２に導通可能に接続される。ボルト３６は、固定部材３０にねじ込まれ、固定部材３０とアース用端子２０を接続状態に保持する。また、本実施例のアース構造は、上記ノイズフィルタモジュール１０と、樹脂材料を含むボディ４３と、固定部材３０に導通可能に接続されたアース用導体４２とを備えている。
【００３０】
本実施例のノイズフィルタモジュール１０及びアース構造によれば、ノイズフィルタ１１は、ボルト３６により固定部材３０を介してボディ４３に取り付けられ、アース用端子２０は固定部材３０を介してアース用導体４２にアースされる。ボルト３６のねじ込み対象は、樹脂材料を含むボディ４３ではなく金属製の固定部材３０であるから、ボディ４３が樹脂材料を含むＣＦＲＰ製であっても、ノイズフィルタ１１をボディ４３に確実に取り付けることができる。また、ボルト３６は、ボディ４３に対して非接触の状態で固定部材３０にねじ込まれている。この構成によれば、ボルト３６とボディ４３が接触しないので、ボルト３６のねじ込みに起因してボディ４３が変形する虞はない。
【００３１】
また、固定部材３０には回り止め部として機能する突起部３４が形成され、アース用端子２０には、突起部３４に対し周方向に当接可能な当接部２５が形成されている。この構成によれば、ボルト３６をねじ込む過程では、当接部２５が突起部３４に当接することにより、アース用端子２０（ノイズフィルタ１１）の連れ回りを防止できる。
【００３２】
また、固定部材３０には、ボルト３６がねじ込まれていない状態において、アース用端子２０を固定部材３０に対して離脱規制状態に保持可能な突起部３４が形成されている。この突起部３４は、仮保持部としての機能を備えているので、ボルト３６を固定部材３０にねじ込む前に、アース用端子２０を固定部材３０から離脱しないように保持しておくことができる。したがって、ボルト３６を締め付けるまでの間に、アース用端子２０（ノイズフィルタ１１）を固定部材３０から離脱しないように押さえておく必要がないので、作業性がよい。
【００３３】
＜他の実施例＞
本発明は上記記述及び図面によって説明した実施例に限定されるものではなく、例えば次のような実施例も本発明の技術的範囲に含まれる。  
（１）上記実施例１，２では、固定部材に形成した雌ネジ孔に、締結部材としてのボルトをねじ込んだが、固定部材に形成した雄ネジ部に、締結部材としてのナットをねじ込んでもよい。  
（２）上記実施例１，２では、アース用導体が編組線や電線等の可撓性部材であるが、アース用導体は、可撓性を有しない金属板材からなるバスバーであってもよい。  
（３）上記実施例１，２では、樹脂を含むアース用取付け部材の材料としてＣＦＲＰ（炭素繊維強化樹脂）を用いたが、これに限らず、樹脂を含む材料は、ガラス繊維等で樹脂製の母材を強化した繊維強化樹脂（ＦＲＰ）や、強化用材料を含有しない剛性樹脂等であってもよい。  
（４）上記実施例１，２では、ノイズフィルタに設けられるフィルタ素子がコンデンサだけであるが、フィルタ素子は、コンデンサとコイルでもよく、コンデンサと抵抗でもよく、コイルのみでもよく、抵抗のみでもよい。  
（５）上記実施例では、仮保持部が回り止め部を兼ねているが、仮保持部と回り止め部とを別々に形成してもよい。  
（６）上記実施例では、固定部材に仮保持部を形成したが、固定部材は、仮保持部を有しない形状であってもよい。
【符号の説明】
【００３４】
１０…ノイズフィルタモジュール
１１…ノイズフィルタ
１５…コンデンサ（フィルタ素子）
２０…アース用端子
２５…当接部
３０…固定部材
３４…突起部（回り止め部、仮保持部）
３６…ボルト（締結部材）
４２…アース用導体
４３…ボディ（アース用取付け部材）
【図１】
2017152768.tif 000003
【図２】
2017152768.tif 000004
【図３】
2017152768.tif 000005
【図４】
2017152768.tif 000006
【図５】
2017152768.tif 000007